(57)【要約】  空洞部に滞留する輸液等の液体を低減することができるコネクタを提供する。コネクタ１は輸液ラインの途中に接続されて混注に用いられる。流入口２１と、流出口２２と、流入口２１及び流出口２２が接続される接続空間部２３とを備えるコネクタ本体２と、空洞部３１と混注口３６とを備える倒立した可撓性有底筒状部材３と、有底筒状部材３をコネクタ本体２に固定するカバー部材４と、接続空間部２３の中央よりも上流側に立設されて接続空間部２３を上流側と下流側とに区画する仕切り部材２５とを備える。仕切り部材２５の上部は空洞部内３１に位置し、可撓性有底筒状部材３が接続空間部２３方向に押圧されたときに、可撓性有底筒状部材２３の内壁及び底面との間に間隙２８を存する。
2020158580.tif 000002
【特許請求の範囲】
【請求項１】
輸液ラインの途中に接続されて該輸液ラインに対する混注に用いられるコネクタであって、
該輸液ラインから液体が流入する流入口と、液体が該輸液ラインに流出する流出口と、該流入口及び該流出口が接続される接続空間部とを備えるコネクタ本体と、
内部に該接続空間部に連通する空洞部を備え、かつ、底面に該空洞部に連通する混注口を備える倒立した可撓性有底筒状部材と、
該可撓性有底筒状部材の底面を露出させる一方、側面を覆って該コネクタ本体に固定するカバー部材と、
該接続空間部の中央よりも上流側に該接続空間部の内周壁に連接して立設されて該接続空間部を上流側と下流側とに区画する仕切り部材とを備え、
該仕切り部材の上部は該空洞部内に位置し、該可撓性有底筒状部材が該接続空間部方向に押圧されたときに、該可撓性有底筒状部材の内壁及び底面との間に間隙を存することを特徴とするコネクタ。
【請求項２】
請求項１記載のコネクタにおいて、
前記接続空間部は、前記流入口又は前記流出口よりも前記空洞部側に位置することを特徴とするコネクタ。
【請求項３】
請求項１又は２記載のコネクタにおいて、
前記接続空間部の前記空洞部とは反対側の内底壁は、前記可撓性有底筒状部材の開口端が接する前記コネクタ本体の受面と同一平面上に位置する、又は該受面よりも該空洞部側に位置することを特徴とするコネクタ。
【請求項４】
請求項１から３までのいずれか１項記載のコネクタにおいて、
前記仕切り部材は、上流側に膨出する曲面を備えることを特徴とするコネクタ。
【請求項５】
請求項１から４までのいずれか１項記載のコネクタにおいて、
前記仕切り部材は、前記接続空間部の内周壁に連接される側の端部に上流側に延出する延出部を備えることを特徴とするコネクタ。
【請求項６】
請求項１から５までのいずれか１項記載のコネクタにおいて、
前記仕切り部材は、下部に上部よりも上流側に膨出する膨出部を備えることを特徴とするコネクタ。
【請求項７】
請求項１から６までのいずれか１項記載のコネクタにおいて、
前記仕切り部材は、上方から下方に向かって次第に上流側に膨出するテーパー面を備えることを特徴とするコネクタ。
【請求項８】
請求項１から７までのいずれか１項記載のコネクタにおいて、
前記カバー部材は、前記可撓性有底筒状部材との間に、該可撓性有底筒状部材が前記接続空間部方向に押圧されて圧縮変形したときに、該可撓性有底筒状部材の圧縮変形した部分を収容する間隙を備えることを特徴とするコネクタ。
【請求項９】
輸液ラインの途中に接続されて該輸液ラインに対する混注に用いられるコネクタであって、
該輸液ラインから液体が流入する流入口、及び液体が該輸液ラインに流出する流出口を備えるコネクタ本体と、
内部に該流入口及び該流出口が個別に接続される空洞部を備え、かつ、底面に該空洞部に連通する混注口を備える倒立した可撓性有底筒状部材と、
該可撓性有底筒状部材の底面を露出させる一方、側面を覆って該コネクタ本体に固定するカバー部材と、
該空洞部内の中央よりも上流側の位置において該コネクタ本体に立設される仕切り部材とを備え、
該仕切り部材は、該可撓性有底筒状部材が該コネクタ本体方向に押圧されたときに、該可撓性有底筒状部材の内壁及び底面との間に間隙を存することを特徴とするコネクタ。
【発明の詳細な説明】
【技術分野】
【０００１】
本発明は、輸液ラインに対する混注に用いられるコネクタに関する。
【背景技術】
【０００２】
従来、輸液ラインの途中に接続されて該輸液ラインに対する薬液等の混注に用いられるコネクタが知られている（例えば、特許文献１参照）。【０００３】
前記コネクタは、輸液ラインから輸液等の液体が流入する流入口と、該液体が該輸液ラインに流出する流出口と、該流入口と該流出口とを接続する接続空間部とを備えるコネクタ本体と、コネクタ本体に接続されて輸液ラインに対する混注に用いられる混注路を形成する可撓性の有底筒状部材と、該有底筒状部材を覆って該コネクタ本体に固定するカバー部材とを備える。【０００４】
前記有底筒状部材は、内部に接続空間部に連通する空洞部を備え、底面が接続空間部から離間する方向に位置するように、倒立状態で前記コネクタ本体に接続される。また、前記有底筒状部材は底面に混注口を備えており、該混注口は混注に用いられる注射筒の先端部により接続空間部方向に押圧されたときに空洞部に連通する。
【先行技術文献】
【特許文献】
【０００５】
【特許文献１】特開２００４−２０９２７８号公報
【発明の概要】
【発明が解決しようとする課題】
【０００６】
特許文献１に記載の前記コネクタでは、混注を行うとき以外は、輸液ラインから流入口を介して流入した輸液等の液体はそのまま接続空間部から流出口を介して輸液ラインに流出する。【０００７】
しかしながら、前記空洞部は流入口から流出口に至る液体の流れに影響を受けない死空間となるので、前記輸液等の液体は一旦空洞部に流入するとそのまま該空洞部に滞留することになるという不都合がある。【０００８】
本発明は、かかる不都合を解消して、空洞部に滞留する輸液等の液体を低減することができるコネクタを提供することを目的とする。
【課題を解決するための手段】
【０００９】
かかる目的を達成するために、本発明のコネクタは、輸液ラインの途中に接続されて該輸液ラインに対する混注に用いられるコネクタであって、該輸液ラインから液体が流入する流入口と、液体が該輸液ラインに流出する流出口と、該流入口及び該流出口が接続される接続空間部とを備えるコネクタ本体と、内部に該接続空間部に連通する空洞部を備え、かつ、底面に該空洞部に連通する混注口を備える倒立した可撓性有底筒状部材と、該可撓性有底筒状部材の底面を露出させる一方、側面を覆って該コネクタ本体に固定するカバー部材と、該接続空間部の中央よりも上流側に該接続空間部の内周壁に連接して立設されて該接続空間部を上流側と下流側とに区画する仕切り部材とを備え、該仕切り部材の上部は該空洞部内に位置し、該可撓性有底筒状部材が該接続空間部方向に押圧されたときに、該可撓性有底筒状部材の内壁及び底面との間に間隙を存することを特徴とする。【００１０】
本発明のコネクタでは、前記接続空間部の中央よりも上流側に前記仕切り部材が立設されており、該仕切り部材は該接続空間部の内周壁に連接して該接続空間部を上流側と下流側とに区画し、その上部は前記空洞部内に位置している。そこで、混注を行うとき以外は、輸液ラインから流入口を介して前記接続空間部の上流側の区画に流入した輸液等の液体が、該仕切り部材の表面に沿って前記空洞部に案内される。【００１１】
このとき、前記輸液ラインは上流側で薬液ボトルに接続されているので、前記輸液等の液体は重力又は輸液ポンプにより与えられる圧力が印加されている。そこで、前記輸液等の液体は、前記仕切り部材が前記接続空間部の中央よりも上流側に立設されていることにより、前記仕切り部材の表面に沿って前記空洞部に案内されたときに前記圧力により、該空洞部の上部まで流入することができる。そして、前記輸液等の液体は、前記空洞部内で反転し、前記接続空間部の下流側の区画から流出口を介して輸液ラインに流出する。【００１２】
従って、本発明のコネクタによれば、従来は死空間となる前記空洞部に前記液体を滞留させることなく輸液ラインに流出させることができる。【００１３】
一方、混注を行うときには、混注に用いる注射筒の先端等により前記可撓性有底筒状部材が前記接続空間部方向に押圧されるが、前記仕切り部材は押圧された該可撓性有底筒状部材の内壁及び底面との間に間隙を存するようにされているので、前記輸液等の液体は該間隙から該仕切り部材の下流側に流出することができる。【００１４】
前記輸液等の液体は前記圧力が印加されているので、該圧力をできるだけ維持した状態で該液体を前記空洞部に流入させることができれば、該液体は該空洞部の上部まで到達することができ、該空洞部に該液体を滞留させることなく、輸液ラインに流出させる点で有利である。【００１５】
また、本発明のコネクタにおいて、前記接続空間部は、前記流入口又は前記流出口よりも前記空洞部側に位置することが好ましい。本発明のコネクタは、前記接続空間部をこのように配置することで、前記混注口と前記流入口及び前記流出口との相対的な位置関係や前記可撓性有底筒状部材の形状を変更することなく、該接続空間部の容積を減少させ、前記輸液等の液体を効率的に前記空洞部の上部まで流入させると共に、該接続空間部で滞留させることなく速やかに前記流出口から排出することができる。【００１６】
また、本発明のコネクタにおいて、前記接続空間部の前記空洞部とは反対側の内底壁は、前記可撓性有底筒状部材の開口端が接する前記コネクタ本体の受面と同一平面上に位置する、又は該受面よりも該空洞部側に位置することがより好ましい。本発明のコネクタは、前記接続空間部の内底壁をこのように配置することで、該接続空間部の全体を前記可撓性有底筒状部材の内部に重複して配置し、該接続空間部の容積をより減少させることが可能となるため、前記輸液等の液体をより効率的に該空洞部の上部まで流入させると共に速やかに前記流出口から排出することができる。【００１７】
また、本発明のコネクタにおいて、前記仕切り部材は、上流側に膨出する曲面を備えることが好ましい。本発明のコネクタは、前記仕切り部材が前記曲面を備えることにより、前記接続空間部の上流側の内周壁との間にある程度の間隔を設けた場合に、前記接続空間部の上流側の区画を狭めることができ、前記輸液等の液体に印加されている圧力の低減をさらに抑制することができる。【００１８】
また、本発明のコネクタにおいて、前記仕切り部材は、前記接続空間部の内周壁に連接される側の端部に上流側に延出する延出部を備えることが好ましい。本発明のコネクタは、前記仕切り部材が前記延出部を備えることにより、前記接続空間部の前記仕切り部材よりも上流側の区画を幅方向において狭めることができ、前記輸液等の液体に印加されている圧力の低減をさらに抑制することができる。【００１９】
ところで、前記仕切り部材は、その上部が前記空洞部内に位置しているので、前記可撓性有底筒状部材が前記接続空間部方向に押圧されたときに該可撓性有底筒状部材の内壁及び底面との間に間隙を形成するためには、該接続空間部の上流側の内周壁に近接し過ぎることなく、ある程度の間隔を設ける必要がある。しかし、前記仕切り部材と前記接続空間部の内周壁との間隔を広げると、相対的に該接続空間部の上流側の区画が広くなり、前記輸液等の液体が前記流入口から該区画に流入したときにその圧力が低減され、該液体が前記空洞部の上部まで到達することが難しくなることがある。【００２０】
そこで、本発明のコネクタにおいて、前記仕切り部材は下部に上部よりも上流側に膨出する膨出部を備えることが好ましい。本発明のコネクタは、前記仕切り部材が下部に前記膨出部を備えることにより、前記可撓性有底筒状部材が押圧されたときに該可撓性有底筒状部材の内壁及び底面との間に間隙を形成しながらも、前記接続空間部の上流側の区画をより狭めることができ、前記輸液等の液体に印加されている圧力の低減を抑制することができる。【００２１】
また、本発明のコネクタにおいて、前記仕切り部材は前記膨出部に代えて、又は前記膨出部若しくは該膨出部よりも上部に、上方から下方に向かって次第に上流側に膨出するテーパー面を備えるものであってもよい。この場合、該膨出部のみを設けた場合と同様又はそれ以上の上記効果を奏することができる。【００２２】
また、本発明のコネクタでは、混注を行うときには、前記注射筒の先端等により前記可撓性有底筒状部材が前記接続空間部方向に押圧されて圧縮変形を生じる。そこで、本発明のコネクタにおいて、前記カバー部材は、前記可撓性有底筒状部材との間に、該可撓性有底筒状部材が前記接続空間部方向に押圧されて圧縮変形したときに、該可撓性有底筒状部材の圧縮変形した部分を収容する間隙を備えることが好ましい。【００２３】
本発明のコネクタは、前記カバー部材が前記可撓性有底筒状部材との間に前記間隙を備えることにより、該可撓性有底筒状部材を前記接続空間部方向に押圧する動作を容易に行うことができる。【００２４】
また、本発明のコネクタは、輸液ラインの途中に接続されて該輸液ラインに対する混注に用いられるコネクタであって、該輸液ラインから液体が流入する流入口、及び液体が該輸液ラインに流出する流出口を備えるコネクタ本体と、内部に該流入口及び該流出口が個別に接続される空洞部を備え、かつ、底面に該空洞部に連通する混注口を備える倒立した可撓性有底筒状部材と、該可撓性有底筒状部材の底面を露出させる一方、側面を覆って該コネクタ本体に固定するカバー部材と、該空洞部内の中央よりも上流側の位置において該コネクタ本体に立設される仕切り部材とを備え、該仕切り部材は、該可撓性有底筒状部材が該コネクタ本体方向に押圧されたときに、該可撓性有底筒状部材の内壁及び底面との間に間隙を存することを特徴とするものであってもよい。【００２５】
本発明のコネクタは、前記コネクタ本体が前記接続空間部を備えず、前記流入口及び前記流出口が個別に前記空洞部に接続される場合においても、該空洞部内の中央よりも上流側の位置に仕切り部材を設けることで、上部が外空洞部内に位置する仕切り部材を該接続空間部に設けた場合と同様の効果を奏することができる。
【図面の簡単な説明】
【００２６】
【図１】本発明のコネクタの一構成例を示す説明的断面図。
【図２】図１のII-II線断面を示す説明的断面図。
【図３】図１に示す構成例において、注射筒の先端部により可撓性有底筒状部材を接続空間部方向に押圧した状態を示す説明的断面図。
【図４】本発明のコネクタの他の構成例を示す説明的断面図。
【図５】本発明のコネクタの他の構成例を示す説明的断面図。
【図６】図５のIII-III線断面を示す説明的断面図。
【図７】図５の構成例におけるコネクタ本体の平面図。
【図８】本発明のコネクタの他の構成例を示す説明的断面図。
【図９】本発明のコネクタの他の構成例を示す説明的断面図。
【発明を実施するための形態】
【００２７】
次に、添付の図面を参照しながら本発明の実施の形態についてさらに詳しく説明する。
【００２８】
図１に示すように、本実施形態のコネクタ１は、図示しない輸液ラインの途中に接続されて該輸液ラインに対する薬液等の混注に用いられる医療用器具であり、コネクタ本体２と、コネクタ本体２に接続された倒立した略円錐形状の可撓性有底筒状部材３と、可撓性有底筒状部材３を覆ってコネクタ本体２に固定するカバー部材４とからなる。
【００２９】
コネクタ本体２は、図示しない輸液ラインから液体が流入する流入口２１と、該液体が該輸液ラインに流出する流出口２２と、流入口２１と流出口２２とを接続する接続空間部２３とを備えている。流入口２１はコネクタ本体２の側面から円盤の法線方向に形成され、流出口２２は流入口２１に対して対称となるコネクタ本体２の側面から円盤の法線方向に形成されており、流入口２１と流出口２２とは直線状に配置されている。
【００３０】
可撓性有底筒状部材３は、内部に接続空間部２３に連通する空洞部３１を備え、空洞部３１は、接続空間部２３に連通する大径部３２と、より小径の小径部３３と、大径部３２側から小径部３３方向に向かって次第に縮径し、大径部３２と小径部３３とを接続するテーパー部３４とを備えている。また、可撓性有底筒状部材３は、底面３５が接続空間部２３から離間する方向（図１では上方）に位置するように、倒立状態でコネクタ本体２に接続されており、底面３５に混注口３６を備えている。混注口３６は、可撓性有底筒状部材３が混注に用いられる注射筒の先端部５（図３参照）により接続空間部２３方向に押圧されたときに小径部３３に連通する。
【００３１】
カバー部材４は、可撓性有底筒状部材３の底面３５を露出させる一方、その側面を覆っており、底面３５を露出させる孔部４１と、大径部３２及びテーパー部３４に対応する大径カバー部４２と、小径部３３及び混注口３６に対応する小径カバー部４３とを備え、大径カバー部４２の底面が、コネクタ本体２の上面に形成された環状突起２４に超音波融着されることにより、可撓性有底筒状部材３をコネクタ本体２に固定している。
【００３２】
また、カバー部材４は、大径カバー部４２と可撓性有底筒状部材３との間に間隙４４を備え、小径カバー部４３の外周面に注射筒のロック筒（図示せず）が螺合される雄ねじ部４５を備えている。間隙４４は、可撓性有底筒状部材３が注射筒の先端部５（図３参照）により接続空間部２３方向に押圧されたときに生じる圧縮変形した部分を収容する。
【００３３】
そして、コネクタ本体２の接続空間部２３には、その中央よりも上流側に仕切り部材２５が立設されている。仕切り部材２５は、接続空間部２３を上流側区画２３ａと下流側区画２３ｂとに区画しており、その下部に上流側区画２３ａ側に膨出する膨出部２６を備え、その上部は可撓性有底筒状部材３の大径部３２内に位置している。また、仕切り部材２５は、図２に示すように、両側端で接続空間部２３の内周壁に連接し、上流側区画２３ａ側に平面視半円状に膨出する曲面２７を中央部に備えている。
【００３４】
本実施形態のコネクタ１は、図示しない輸液ラインの途中に接続されたときに、該輸液ラインから流入口２１を介して接続空間部２３の上流側区画２３ａに流入した輸液等の液体を、図１に矢示するように、仕切り部材２５の表面に沿って空洞部３１に案内する。ここで、仕切り部材２５は両側端で接続空間部２３の内周壁に連接しているので、上流側区画２３ａに流入した輸液等の液体は、その全量が空洞部３１に案内される。
【００３５】
また、前記輸液ラインは上流側で薬液ボトルに接続されているので、前記輸液等の液体は、該薬液ボトルとコネクタ１との高低差による重力の圧力又は輸液ラインの途中に接続されている輸液ポンプにより与えられる圧力が印加されている。そこで、前記輸液等の液体は、仕切り部材２５の表面に沿って空洞部３１に案内されたときに前記圧力により、空洞部３１の上部まで流入することができる。そして、前記輸液等の液体は、空洞部３１の上部で反転し、流出口２２から輸液ラインに流出することにより、輸液等の液体が空洞部３１に滞留することを防止することができる。
【００３６】
一方、仕切り部材２５は、その上部が可撓性有底筒状部材３の大径部３２内に位置しているので、接続空間部２３の上流側の内周壁に近接し過ぎると、後述のように可撓性有底筒状部材３が接続空間部２３方向に押圧されたときに、該上部が可撓性有底筒状部材３の内壁及び底面に接触することが懸念される。このため、仕切り部材２５は、接続空間部２３の上流側の内周壁との間に所定の間隔を設ける必要があるが、このようにすると上流側区画２３ａに流入した輸液等の液体の圧力が低減され、空洞部３１に案内されたときに十分に空洞部３１の上部まで流入することができないことがある。
【００３７】
そこで、仕切り部材２５は、その下部に上流側区画２３ａ側に膨出する膨出部２６を備え、さらにその中央部が上流側区画２３ａ側に平面視半円状に膨出する曲面２７となっている。この結果、仕切り部材２５は、接続空間部２３の上流側の内周壁との間に所定の間隔を設けつつ、上流側区画２３ａの容積を狭めることができ、上流側区画２３ａに流入した輸液等の液体の圧力が低減されることを抑制することができる。
【００３８】
次に、輸液ラインに接続したコネクタ１を用いて混注を行うときには、図３に示すように、混注する薬液等が収容された注射筒の先端部５をカバー部材４の孔部４１に挿入し、孔部４１に露出している可撓性有底筒状部材３の底面３５をコネクタ本体２の接続空間部２３方向に押圧する。このようにすると、前述のように、混注口３６が小径部３３に連通する。
【００３９】
このとき、注射筒の先端部５は外周面に孔部４１の内周面が密着することにより、孔部４１に支持される。また、注射筒が、先端部５の外周側に設けられた外套筒であって内周面に雌ねじ部が形成されているロック筒（図示せず）を備えるときには、該ロック筒の雌ねじ部を小径カバー部４３の外周面に形成された雄ねじ部４５に螺合することができる。前記ロック筒の雌ねじ部を雄ねじ部４５に螺合することにより、注射筒の先端部５により底面３５をコネクタ本体２の接続空間部２３方向に押圧する動作を容易かつ確実に行うことができる。
【００４０】
そして、注射筒のプランジャーをシリンダーに押し込むことにより、該注射筒に収容されている薬液等が矢示するように該注射筒の先端部５から小径部３３に注入されて、輸液ラインに対する該薬液等の混注が行われる。
【００４１】
前記混注の際には、可撓性有底筒状部材３が注射筒の先端部５に押圧されることにより圧縮変形するが、カバー部材４は可撓性有底筒状部材３との間に間隙４４を備えているので、圧縮変形した部分を間隙４４に収容することができ、可撓性有底筒状部材３を接続空間部２３方向に押圧する動作を容易に行うことができる。
【００４２】
また、可撓性有底筒状部材３が注射筒の先端部５に押圧されたときに、仕切り部材２５と可撓性有底筒状部材３の内壁及び底面との間には狭い間隙２８が形成されるので、前述のように圧力が印加されている輸液等の液体が間隙２８から、下流側区画２３ｂ内に噴出することになる。このとき、仕切り部材２５は、接続空間部２３内の中央よりも上流側に位置しているので、下流側区画２３ｂは上流側区画２３ａより相対的に広くなっており、間隙２８から噴出した輸液等の液体と注射筒から混注された薬液とを十分に混合させたのち、流出口２２から輸液ラインに流出させることができる。
【００４３】
次に、コネクタ１の他の構成例について説明する。なお、以下の説明においては、図１に示す構成と同一の構成には同一の符号を付すと共に詳細な説明を省略する。
【００４４】
図４に示すように、コネクタ１の仕切り部材２５は、上方から下方に向かって次第に上流側に膨出するテーパー面２９を備えるものであってもよい。この場合にも、膨出部２６と同様に、上流側区画２３ａの容積を狭めて上流側区画２３ａに流入した輸液等の液体の圧力が低減されることを抑制する効果を奏することができる。
【００４５】
なお、図示は省略するが、膨出部２６を備える仕切り部材２５にテーパー面２９を設けるようにしてもよい。この場合、膨出部２６にテーパー面２９を設けるようにしてもよいし、膨出部２６よりも上部にテーパー面２９を設けるようにしてもよいし、膨出部２６及びその上部の両方にテーパー面２９を設けるようにしてもよい。
【００４６】
また、図５〜７に示すように、コネクタ１の接続空間部２３は、流入口２１及び流出口２２よりも空洞部３１側にオフセットして配置されるものであってもよい。この例では、コネクタ本体２における流入口２１と流出口２２の間を部分的に可撓性有底筒状部材３側に上げ底状とすることで、接続空間部２３を流入口２１及び流出口２２よりも空洞部３１側に配置している。
【００４７】
より具体的には、コネクタ本体２は、可撓性有底筒状部材３の開口端３７が接する受面２０ａを備えており、接続空間部２３の可撓性有底筒状部材３の反対側の内底壁２３ｃは、この受面２０ａと同一平面上に位置するように設けられている。すなわち、接続空間部２３の内底壁２３ｃは、受面２０ａと面一となっている。
【００４８】
可撓性有底筒状部材３の大径部３２の開口端３７側（コネクタ本体２側）には、大径部３２よりも全体的に内径が大きく、開口端３７側に向けて漸次拡径する拡開部３８が設けられている。また、コネクタ本体２の受面２０ａには、この拡開部３８内に収容される平面視が略Ｃ字状のＣ字状突起２０ｂが設けられている。そして、この例では、このＣ字状突起２０ｂの内周面が接続空間部２３の内周壁２３ｄを構成しており、接続空間部２３の全体が可撓性有底筒状部材３の内部に重複して配置されるようになっている。
【００４９】
接続空間部２３をこのように設けることで、混注口３６と流入口２１及び流出口２２との相対的な位置関係や可撓性有底筒状部材３の形状を変更することなく、接続空間部２３の容積を減少させることができる。これにより、コネクタ１の使い勝手や製造コストを悪化させることなく、流入口２１からの液体を上流側区画２３ａから速やかに空洞部３１に流入させ、空洞部３１内の上部等の滞留が生じやすい部分まで効率的に到達させることができる。さらに、空洞部３１から下流側区画２３ｂに流入した液体を、滞留させることなく速やかに流出口２２に向けて排出することができる。
【００５０】
流入口２１と接続空間部２３の上流側区画２３ａとは、入側接続通路２１ａを介して接続されている。この入側接続通路２１ａは、流入口２１及び流出口２２の軸心Ｃと略直交する方向に形成された上流側の直交部２１ａ１と、流入口２１及び流出口２２の軸心Ｃと略平行な方向に形成された下流側の平行部２１ａ２から構成されている。また、入側接続通路２１ａの横断面形状は、直交部２１ａ１が略六角形状、平行部２１ａ２が略矩形状となっている。
【００５１】
直交部２１ａ１及び平行部２１ａ２の上部は、受面２０ａと上流側区画２３ａの内底壁２３ｃに跨って開口しており、Ｃ字状突起２０ｂは、この開口に対応する位置が切り欠かれることで、平面視が略Ｃ字状となっている。また、入側接続通路２１ａの上部の開口は、可撓性有底筒状部材３の開口端３７によって部分的に塞がれており、流入口２１からの液体は、平行部２１ａ２における開口の塞がれていない部分を通じて上流側区画２３ａに流入するようになっている。
【００５２】
また、入側接続通路２１ａは流入口２１と比較して断面積が小さく形成されており、液体は比較的高い流速で接続空間部２３の上流側区画２３ａに流入するようになっている。特にこの例では、上流側の直交部２１ａ１よりも下流側の平行部２１ａ２の断面積を更に小さくすることで、より勢いよく液体が上流側区画２３ａに流入するようにしている。さらにこの例では、直交部２１ａ１の横断面形状を流出口２２側に向けて漸次幅が狭くなる形状に構成することで、直交部２１ａ１から平行部２１ａ２への液体の流入をスムーズに行わせ、淀み等が発生しないようにしている。
【００５３】
接続空間部２３の上流側区画２３ａに流入した液体は、内底壁２３ｃに立設された仕切り部材２５によって空洞部３１の上部（底面３５側）に向けて誘導される。この例では、仕切り部材２５に、上流側区画２３ａ側に平面視半円状に膨出する曲面２７を設けると共に、接続空間部２３の内周壁２３ｄに連接される側の両端部（幅方向の両端部）において上流側区画２３ａ側に延出する延出部２５ａを設けることで、上流側区画２３ａの容積がより小さくなるようにしている。従って、上流側区画２３ａ内の液体は、空洞部３１の上部に向けて積極的に流動するようになっている。
【００５４】
また、可撓性有底筒状部材３の空洞部３１における大径部３２の内壁（内周壁）は、接続空間部２３の内周壁２３ｄと略連続するように構成されており、仕切り部材２５の両側端は、上側の大径部３２内に位置する部分が大径部３２の内壁と接触している。そして、延出部２５ａは、仕切り部材２５の両側端部の大径部３２内に位置する部分にも設けられている。
【００５５】
従って、空洞部３１の下側（コネクタ本体２側）における仕切り部材２５よりも上流側の区画は、接続空間部２３の上流側区画２３ａと同様に容積が小さくなっており、これによっても液体は、空洞部３１の上部に向けて積極的に流動するようになっている。さらにこの例では、仕切り部材２５の下部にテーパー面２９を備える膨出部２６を設けると共に、上端の角部に丸みを設けないことで、液体をより積極的に空洞部３１の上部に向けて流動させるようにしている。
【００５６】
なお、この例においても、可撓性有底筒状部材３が注射筒の先端部５に押圧されたときに、仕切り部材２５と可撓性有底筒状部材３の内壁及び底面との間に液体が流動可能な間隙２８（図３参照）が形成されることは言うまでもない。また、図７に示されるように、この例では、仕切り部材２５の両側端及び延出部２５ａの空洞部３１内に位置する部分の上流側及び下流側に適宜の丸みを設けることで、可撓性有底筒状部材３の変形時に仕切り部材２５の局部的な接触や引っ掛かり等が生じないようにしている。
【００５７】
接続空間部２３の下流側区画２３ｂと流出口２２とは、出側接続通路２２ａを介して接続されている。この出側接続通路２２ａは、入側接続通路２１ａの直交部２１ａ１と同様の横断面が略矩形状の通路であり、流入口２１及び流出口２２の軸心Ｃと略直交する方向に形成されている。出側接続通路２２ａは、下流側区画２３ｂにおける流出口２２側の内底壁２３ｃにおいて開口すると共に、流出口２２よりも小さい断面積に形成されている。これにより、下流側区画２３ｂから出側接続通路２２ａへの液体の流入に適度な抵抗を付与し、空洞部３１の上部を経由することなく入側接続通路２１ａから出側接続通路２２ａへ流入する流動の発生がより抑制されるようになっている。
【００５８】
また、図７に示されるように、この例では、仕切り部材２５の下流側の面と下流側区画２３ｂの内周壁２３ｄを滑らかに接続することで、比較的容積の大きい下流側区画２３ｂにおける隅部をなくし、このような隅部に生じる滞留を防止するようにしている。
【００５９】
このように、仕切り部材２５を設けると共に接続空間部２３を流入口２１及び流出口２２よりも空洞部３１側に位置させることで、コネクタ１の使い勝手や製造コストを悪化させることなく、輸液等の液体の空洞部３１における滞留をより効果的に防止することができる。
【００６０】
なお、接続空間部２３の内底壁２３ｃは、受面２０ａよりも空洞部３１側に設けられるものであってもよい。可撓性有底筒状部材３の形状等によっては、内底壁２３ｃを受面２０ａよりも空洞部３１側に配置し、接続空間部２３の容積をさらに減少させるようにしてもよい。また、内底壁２３ｃを受面２０ａと流入口２１又は流出口２２の間に配置し、接続空間部２３に可撓性有底筒状部材３の内部と重複しない部分を設けることで、空洞部３１及び接続空間部２３内の流動状態を調整するようにしてもよい。
【００６１】
また、図５〜７に示す例では、接続空間部２３の内底壁２３ｃを流入口２１及び流出口２２の軸心Ｃと平行な平面状に構成しているが、内底壁２３ｃは、軸心Ｃに対して傾斜した平面であってもよいし、適宜の曲面や凹凸面から構成されるものであってもよい。内底壁２３ｃの傾斜や形状等を適宜に設定することによっても、空洞部３１及び接続空間部２３内の流動状態を調整することができる。
【００６２】
また、入側接続通路２１ａは、直交部２１ａ１のみを備え、上流側区画２３ａの内底壁２３ｃにおいて開口するものであってもよい。また、出側接続通路２２ａは、入側接続通路２１ａと同様に軸心Ｃと平行な部分を備えるものであってもよい。また、入側接続通路２１ａ及び出側接続通路２２ａの断面形状は、例えば円形状等、任意の形状を採用することができる。
【００６３】
また、図５〜７に示す例において、仕切り部材２５の膨出部２６やテーパー面２９を省略するようにしてもよいし、曲面２７や延出部２５ａを省略するようにしてもよい。また、曲面２７は、平面視半円状以外の形状で上流側区画２３ａ側に膨出するものであってもよい。また、例えば延出部２５ａを両端部の一方にのみ設ける等、液体の流動に方向性を持たせたり、適宜の渦を生じさせたりするような形状に仕切り部材２５を構成してもよい。
【００６４】
また、この例では、膨出部２６の高さを接続空間部２３の高さの半分程度に設定しているが、膨出部２６を接続空間部２３と同一の高さに構成してもよいし、膨出部２６の上部が空洞部３１内に位置するように構成してもよい。
【００６５】
また、図８及び９に示すように、コネクタ１は、接続空間部２３を備えないものであってもよい。すなわち、コネクタ１は、流入口２１及び流出口２２が接続空間部２３を介さずに空洞部３１に接続されるものであってもよい。
【００６６】
図８に示す例は、図５〜７に示す例においてＣ字状突起２０ｂを省略することで、接続空間部２３を省略した場合を示している。Ｃ字状突起２０ｂを省略したことで、この例では、空洞部３１は、拡開部３８、大径部３２、テーパー部３４及び小径部３３から構成されることとなる。また、コネクタ本体２の受面２０ａの内側の面は、空洞部３１の開口を閉塞する閉塞面２０ｅとなる。
【００６７】
入側接続通路２１ａは、受面２０ａと閉塞面２０ｅに跨って開口しており、流入口２１からの液体は、可撓性有底筒状部材３の開口端３７によって塞がれていない部分を通じて空洞部３１に流入するようになっている。また、出側接続通路２２ａは、閉塞面２０ｅの流出口２２側の位置において開口している。
【００６８】
仕切り部材２５は、閉塞面２０ｅの図５〜７に示す例と同じ位置に立設されており、空洞部３１内においても中央よりも上流側（入側接続通路２１ａ側）に位置している。また、この例では、仕切り部材２５の全体が空洞部３１内に位置している。仕切り部材２５の形状は、特に限定されるものではないが、図５〜７に示す例と同様の形状であることが好ましく、両側端が大径部３２及び拡開部３８の内壁（内周壁）と接触するものであることがより好ましい。また、可撓性有底筒状部材３に拡開部３８を設けずに、大径部３２を開口端３７まで延長するようにしてもよい。
【００６９】
図９に示す例では、図５〜７に示す例においてＣ字状突起２０ｂに代えて、平面視が略円形状の凸部２０ｆを設けることで、接続空間部２３を省略した場合を示している。この凸部２０ｆは、図５〜７に示す例においてＣ字状突起２０ｂに囲まれる空間（すなわち、接続空間部２３）を埋めた形状となっており、全体が拡開部３８に収容されると共に、頂面が空洞部３１の開口を閉塞する閉塞面２０ｅとなっている。
【００７０】
入側接続通路２１ａは、受面２０ａ、凸部２０ｆの側面及び閉塞面２０ｅに跨って開口しており、流入口２１からの液体は、可撓性有底筒状部材３の開口端３７によって塞がれていない部分を通じて空洞部３１に流入するようになっている。また、出側接続通路２２ａは、閉塞面２０ｅの流出口２２側の位置において開口している。
【００７１】
仕切り部材２５は、閉塞面２０ｅの図５〜７に示す例と同じ位置に立設されており、空洞部３１内においても中央よりも上流側（入側接続通路２１ａ側）に位置している。また、仕切り部材２５は、図８に示す例と同様に全体が空洞部３１内に位置している。仕切り部材２５の形状は、特に限定されるものではないが、図５〜７に示す例における仕切り部材２５の上部と同様の形状であり、両側端部が大径部３２の内壁（内周壁）と接触するものであることが好ましい。
【００７２】
なお、図８及び９に示す例においても、可撓性有底筒状部材３が注射筒の先端部５に押圧されたときに、仕切り部材２５と可撓性有底筒状部材３の内壁及び底面との間に液体が流動可能な間隙２８（図３参照）が形成されることは言うまでもない。
【００７３】
このように、コネクタ本体２に接続空間部２３を設けずに、流入口２１及び流出口２２を、それぞれ入側接続通路２１ａ及び出側接続通路２２ａを介して個別に空洞部３１に接続するようにした場合にも、図５〜７に示す例と同様の効果を奏することができる。
【００７４】
なお、図８及び９に示す例においても、閉塞面２０ｅは、軸心Ｃに対して傾斜した平面であってもよいし、適宜の曲面や凹凸面から構成されるものであってもよい。また、入側接続通路２１ａ及び出側接続通路２２ａの経路及び断面形状は、適宜の経路及び断面形状を採用することができる。
【００７５】
以上、本発明の実施の形態について説明したが、本発明のコネクタは、上記した実施の形態に限定されるものではなく、本発明の要旨を逸脱しない範囲内において種々変更を加え得ることは勿論である。例えば、コネクタ１の各部の形状及び配置は、上記実施形態において示した形状及び配置に限定されるものではなく、既知の種々の形状及び配置を採用することができる。
【００７６】
また、流入口２１及び流出口２２は直線状に配置されるものに限定されず、例えばそれぞれの軸心が互いに交差するように配置されるものであってもよい。また、可撓性有底筒状部材３は、自身の軸心が流入口２１又は流出口２２の軸心と直交するように配置されるものに限定されず、自身の軸心が流入口２１又は流出口２２の軸心に対して傾斜するように配置されるものであってもよい。
【００７７】
また、上記実施形態では、流入口２１側にメスルアーテーパ及び雄ネジを備えるメスコネクタを設け、流出口２２側にオスルアーテーパのみを備えるオスコネクタを設けた例を示したが、流出口２２側にオスルアーテーパ及び雌ネジを備えるオスコネクタを設けるようにしてもよい。また、この場合のオスコネクタは、雌ネジを備えてコネクタ本体２に遊嵌されるロック用の別部材を備えるものであってもよいし、オスルアーテーパ及び雌ネジを備えるオスコネクタ全体が別部材から構成され、コネクタ本体２の流出口２２側に嵌合すると共に、コネクタ本体２に対して軸心Ｃ周りに相対的に回動可能に配置されるものであってもよい。また、流入口２１側にオスコネクタを設け、流出口２２側にメスコネクタを設けるようにしてもよいことは言うまでもない。
【００７８】
また、上記実施形態において示した作用及び効果は、本発明から生じる最も好適な作用及び効果を列挙したものに過ぎず、本発明による作用及び効果は、これらに限定されるものではない。
【符号の説明】
【００７９】
１…コネクタ、  ２…コネクタ本体、  ３…可撓性有底筒状部材、  ４…カバー部材、  ５…注射筒の先端部、  ２０ａ…受面、  ２１…流入口、  ２２…流出口、  ２３…接続空間部、  ２３ｃ…内底壁、  ２３ｄ…内周壁、  ２５…仕切り部材、  ２５ａ…延出部、  ２６…膨出部、  ２７…曲面、  ２８…間隙、  ２９…テーパー面、  ３１…空洞部、  ３６…混注口、  ３７…開口端。
【図１】
2020158580.tif 000003
【図２】
2020158580.tif 000004
【図３】
2020158580.tif 000005
【図４】
2020158580.tif 000006
【図５】
2020158580.tif 000007
【図６】
2020158580.tif 000008
【図７】
2020158580.tif 000009
【図８】
2020158580.tif 000010
【図９】
2020158580.tif 000011
【国際調査報告】
2020158580.tif 000012
2020158580.tif 000013
2020158580.tif 000014
2020158580.tif 000015